【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
遊技球を入球可能な開閉入賞手段と、
遊技者に有利な複数種類の大当たり遊技と、
前記大当たり遊技を発生させるか否かに関する抽選を行うと共に、該大当たり遊技を発生させる際、複数種類の大当たり遊技のうち、何れの大当たり遊技を発生させるかの抽選を行う抽選手段と、
前記抽選手段による抽選結果が前記大当たり遊技を発生させるものであった場合、前記開閉入賞手段を開放し利益状態を発生させる利益状態発生手段と、
遊技の進行に応じて、所定の音を出力する音出力手段と、
遊技の進行に応じて、所定のランプ演出を実行するランプ演出実行手段と、を有し、
前記大当たり遊技は、前記大当たり遊技中に遊技者が獲得可能な遊技価値が増大したかのような第１大当たり遊技演出を行う第１大当たり遊技と、前記第１大当たり遊技演出とは異なる第２大当り遊技演出を行う第２大当たり遊技と、を含み、
前記第１大当たり遊技の場合、開閉入賞手段が開放され、当該開閉入賞手段に前記遊技球が入球すると、前記ランプ演出実行手段は、入球したことを示す第１ランプ演出を実行し、前記音出力手段は、入球したことを示す第１入賞音を出力する一方、
前記第２大当たり遊技の場合、開閉入賞手段が開放され、当該開閉入賞手段に前記遊技球が入球すると、前記ランプ演出実行手段は、前記第１ランプ演出とは異なる第２ランプ演出を実行し、前記音出力手段は、前記第１入賞音よりも小さい音量の音である第２入賞音を出力する遊技機。
【請求項２】
遊技球を入球可能な開閉入賞手段と、
遊技者に有利な複数種類の大当たり遊技と、
前記大当たり遊技を発生させるか否かに関する抽選を行うと共に、該大当たり遊技を発生させる際、複数種類の大当たり遊技のうち、何れの大当たり遊技を発生させるかの抽選を行う抽選手段と、
前記抽選手段による抽選結果が前記大当たり遊技を発生させるものであった場合、前記開閉入賞手段を開放し利益状態を発生させる利益状態発生手段と、
遊技の進行に応じて、所定の音を出力する音出力手段と、
遊技の進行に応じて、所定のランプ演出を実行するランプ演出実行手段と、を有し、
前記大当たり遊技は、前記大当たり遊技中に遊技者が獲得可能な遊技価値が増大したかのような第１大当たり遊技演出を行う第１大当たり遊技と、前記第１大当たり遊技演出とは異なる第２大当り遊技演出を行う第２大当たり遊技と、を含み、
前記第１大当たり遊技の場合、開閉入賞手段が開放され、当該開閉入賞手段に前記遊技球が入球すると、前記ランプ演出実行手段は、入球したことを示す第１ランプ演出を実行し、前記音出力手段は、入球したことを示す第１入賞音を出力する一方、
前記第２大当たり遊技の場合、開閉入賞手段が開放され、当該開閉入賞手段に前記遊技球が入球すると、前記ランプ演出実行手段は、前記第１ランプ演出とは異なる第２ランプ演出を実行し、前記音出力手段は、入球したことを示す音を出力しない遊技機。
【請求項３】
前記第１入賞音は、前記音出力手段より出力されるＢＧＭ（Ｂａｃｋ  Ｇｒｏｕｎｄ  Ｍｕｓｉｃ）よりも大きい音量である一方、
前記第２入賞音は、前記ＢＧＭよりも小さい音量の音を出力してなる請求項１に記載の遊技機。
【手続補正２】
【補正対象書類名】明細書
【補正対象項目名】０００７
【補正方法】変更
【補正の内容】
【０００７】
請求項１の発明に係る遊技機によれば、遊技球を入球可能な開閉入賞手段（図２に示す上部入賞装置４４，下部入賞装置４５参照）と、
遊技者に有利な複数種類の大当たり遊技と、
前記大当たり遊技を発生させるか否かに関する抽選を行うと共に、該大当たり遊技を発生させる際、複数種類の大当たり遊技のうち、何れの大当たり遊技を発生させるかの抽選を行う抽選手段（図１５に示すステップＳ３０５参照）と、
前記抽選手段（図１５に示すステップＳ３０５参照）による抽選結果が前記大当たり遊技を発生させるものであった場合、前記開閉入賞手段（図２に示す上部入賞装置４４，下部入賞装置４５参照）を開放し利益状態を発生させる利益状態発生手段（図２０に示すステップＳ７０５参照）と、
遊技の進行に応じて、所定の音を出力する音出力手段（図１に示すスピーカ１６参照）と、
遊技の進行に応じて、所定のランプ演出を実行するランプ演出実行手段（図２４に示すステップＳ１１０９、ステップＳ１１１１、図２６に示すステップＳ１３０７参照）と、を有し、
前記大当たり遊技は、前記大当たり遊技中に遊技者が獲得可能な遊技価値が増大したかのような第１大当たり遊技演出を行う第１大当たり遊技と、前記第１大当たり遊技演出とは異なる第２大当り遊技演出を行う第２大当たり遊技と、を含み、
前記第１大当たり遊技の場合、開閉入賞手段（図２に示す上部入賞装置４４，下部入賞装置４５参照）が開放され、当該開閉入賞手段（図２に示す上部入賞装置４４，下部入賞装置４５参照）に前記遊技球が入球すると、前記ランプ演出実行手段（図２４に示すステップＳ１１０９、ステップＳ１１１１、図２６に示すステップＳ１３０７参照）は、入球したことを示す第１ランプ演出を実行し、前記音出力手段（図１に示すスピーカ１６参照）は、入球したことを示す第１入賞音を出力する一方、
前記第２大当たり遊技の場合、開閉入賞手段（図２に示す上部入賞装置４４，下部入賞装置４５参照）が開放され、当該開閉入賞手段（図２に示す上部入賞装置４４，下部入賞装置４５参照）に前記遊技球が入球すると、前記ランプ演出実行手段（図２４に示すステップＳ１１０９、ステップＳ１１１１、図２６に示すステップＳ１３０７参照）は、前記第１ランプ演出とは異なる第２ランプ演出を実行し、前記音出力手段（図１に示すスピーカ１６参照）は、前記第１入賞音よりも小さい音量の音である第２入賞音を出力することを特徴としている。
【手続補正３】
【補正対象書類名】明細書
【補正対象項目名】０００８
【補正方法】変更
【補正の内容】
【０００８】
また、請求項２の発明に係る遊技機によれば、遊技球を入球可能な開閉入賞手段（図２に示す上部入賞装置４４，下部入賞装置４５参照）と、
遊技者に有利な複数種類の大当たり遊技と、
前記大当たり遊技を発生させるか否かに関する抽選を行うと共に、該大当たり遊技を発生させる際、複数種類の大当たり遊技のうち、何れの大当たり遊技を発生させるかの抽選を行う抽選手段（図１５に示すステップＳ３０５参照）と、
前記抽選手段（図１５に示すステップＳ３０５参照）による抽選結果が前記大当たり遊技を発生させるものであった場合、前記開閉入賞手段（図２に示す上部入賞装置４４，下部入賞装置４５参照）を開放し利益状態を発生させる利益状態発生手段（図２０に示すステップＳ７０５参照）と、
遊技の進行に応じて、所定の音を出力する音出力手段（図１に示すスピーカ１６参照）と、
遊技の進行に応じて、所定のランプ演出を実行するランプ演出実行手段（図２４に示すステップＳ１１０９、ステップＳ１１１１、図２６に示すステップＳ１３０７参照）と、を有し、
前記大当たり遊技は、前記大当たり遊技中に遊技者が獲得可能な遊技価値が増大したかのような第１大当たり遊技演出を行う第１大当たり遊技と、前記第１大当たり遊技演出とは異なる第２大当り遊技演出を行う第２大当たり遊技と、を含み、
前記第１大当たり遊技の場合、開閉入賞手段（図２に示す上部入賞装置４４，下部入賞装置４５参照）が開放され、当該開閉入賞手段（図２に示す上部入賞装置４４，下部入賞装置４５参照）に前記遊技球が入球すると、前記ランプ演出実行手段（図２４に示すステップＳ１１０９、ステップＳ１１１１、図２６に示すステップＳ１３０７参照）は、入球したことを示す第１ランプ演出を実行し、前記音出力手段（図１に示すスピーカ１６参照）は、入球したことを示す第１入賞音を出力する一方、
前記第２大当たり遊技の場合、開閉入賞手段（図２に示す上部入賞装置４４，下部入賞装置４５参照）が開放され、当該開閉入賞手段（図２に示す上部入賞装置４４，下部入賞装置４５参照）に前記遊技球が入球すると、前記ランプ演出実行手段（図２４に示すステップＳ１１０９、ステップＳ１１１１、図２６に示すステップＳ１３０７参照）は、前記第１ランプ演出とは異なる第２ランプ演出を実行し、前記音出力手段（図１に示すスピーカ１６参照）は、入球したことを示す音を出力しないことを特徴としている。
【手続補正４】
【補正対象書類名】明細書
【補正対象項目名】０００９
【補正方法】変更
【補正の内容】
【０００９】
さらに、請求項３の発明に係る遊技機によれば、上記請求項１に記載の遊技機において、前記第１入賞音は、前記音出力手段（図１に示すスピーカ１６参照）より出力されるＢＧＭ（Ｂａｃｋ  Ｇｒｏｕｎｄ  Ｍｕｓｉｃ）よりも大きい音量である一方、
前記第２入賞音は、前記ＢＧＭよりも小さい音量の音を出力してなることを特徴としている。
【手続補正５】
【補正対象書類名】明細書
【補正対象項目名】００１０
【補正方法】削除
【補正の内容】